(57)【要約】      （修正有）【課題】照明器具に住宅用火災警報器を組み込ませ、住宅用火災警報器の普及を図る。【解決手段】照明器具本体１又は天井への照明器具取り付け部２に火災感知部３及び警報器４を設け、照明器具自体が住宅用火災警報器の機能を持つことにより、住宅用火災警報器の設置促進に役立つ。【選択図】図１
0003134368.tif 000002
【実用新案登録請求の範囲】
【請求項１】
照明器具の設置場所と住宅用火災警報器の設置場所とが一致することから、照明器具本体に住宅用火災警報器を組み込み、住宅用火災警報器の設置促進と室内の美観を兼ね備えたところを特徴とする住宅用火災警報器機能付照明器具である。
【請求項２】
自動火災報知設備の感知器は住宅用火災警報器と構造、形態、機能、目的が同様であり、照明器具に自動火災報知設備の感知器を内蔵したものも本件の範囲である。
【請求項３】
消防法、火災予防条例等法令に規定された国家検定、日本消防検定協会の鑑定及び認定に合格した製品も当然含み、非該当の製品も適用するものである。
【請求項４】
既設の照明配線を使用して住宅用火災警報器の機能を常に確保するため電池又は蓄電池を内蔵したものも本件の範囲である。
【請求項５】
火災を感知する方式は、煙、熱、炎を問わずすべての方式に適用する。
【考案の詳細な説明】
【技術分野】
【０００１】  本考案は、照明器具に住宅用火災警報器の機能を持たせた、照明器具に関するものである。
【背景技術】
【０００２】  住宅用火災警報器は現状では単独で天井又は壁体の上部に設置するものであるが、火災の感知という特定の目的のために設置するという性格上、普及が進んでいない現状にある。
一方、照明器具は日常生活の必需品であり、取り付け位置も天井や壁体の上部で住宅用火災警報器の設置場所と多くの共通点がある。
【考案の開示】
【考案が解決しようとする課題】
【０００３】  照明器具と住宅用火災警報器の両者を融合させた住宅用火災警報器機能付照明器具を開発することにより、住宅用火災警報器の普及を飛躍的に進め、火災で逃げ遅れ亡くなる人やけが人を激減させることを目的とする。
【課題を解決するための手段】
【０００４】  本考案は、照明器具の種類により、照明器具本体に住宅用火災警報器の機能（火災感知部及び警報音発生器）を設けたものと、照明器具の天井取り付け部に住宅用火災警報器の機能を組み込んだものの２種類がある。
【考案の効果】
【０００５】  火災による死者の低減には早期発見及び避難が重要であり、住宅用火災警報器の設置が防火安全対策として大変有効である。
しかしながら、住宅用火災警報器は火災時のみ働くものという性格上から設置は促進されていない現状にあるので、生活必需品である照明器具に住宅用火災警報器を組み込んだ本件の住宅用火災警報器機能付照明器具が普及すれば住宅やマンション及び共同住宅等、その他すべての建物からの火災の早期発見と警報音による避難で死者やけが人を出さずに済む。
【考案を実施するための最良の形態】
【０００６】  住宅用火災警報器の設置位置は、火災を有効に感知できる位置に設置されなければならない。
このことはすなわち、火災を有効に感知できる位置と照明の設置位置とが一致することであり、住宅用火災警報器機能付照明器具を室内の天井や壁及び階段上部に設置すれば二重の効果が期待できる。
住宅用火災警報器本体はコンパクトなものであり、照明器具の中に組み込むことはすぐにでも可能である。
現在の住宅用火災警報器は白い器で、照明とは別に単体で天井又は壁に取り付けるものであり、外見上から設置に躊躇いを感じている方も多いので、住宅用火災警報器機能付照明器具ならば抵抗がない。
調度品のようなオシャレな住宅用火災警報器機能付照明器具は、内装や照明にこだわった人にも受け入れられ住宅用火災警報器の設置が一気に促進され、本件の目的が達成できる。
住宅用火災警報器の電源は、常時確保されていなければならないので、ＡＣ電源へ配線することにより照明消灯時にも住宅用火災警報器の機能を確保する。
以下、どの構造であっても住宅用火災警報器の機能は常時確保するものである。
【実施例】
【０００７】  以下、添付図面に従って一実施例を説明する。１は照明器具本体、２は天井への照明器具取り付け部、３は火災感知部で主に煙感知、４は警報音発生器、５は住宅用火災警報器への配線、６は照明器具の配線である。
住宅用火災警報器の電源は、常時確保されていなければならないので、ＡＣ電源へ配線することにより照明消灯時にも住宅用火災警報器の機能を確保する。【０００８】  シャンデリア、和室照明及びペンダント照明は、天井への照明器具取り付け部と照明器具本体とが離れているため、住宅用火災警報器の機能は天井取り付け部に組み込んだものである。
【図面の簡単な説明】
【０００９】
【図１】図１は、本考案の住宅用火災警報器機能付照明器具のうち、照明器具本体に住宅用火災警報器の機能を組み込んだタイプである。
【図２】図２は、シャンデリア、和室照明及びペンダント照明のように、照明器具の天井取り付け部と照明器具本体とが離れているタイプである。
【符号の説明】
【００１０】  １  照明器具本体
２  天井への照明器具取り付け部
３  火災感知部
４  警報音発生器
５  住宅用火災警報器への配線
６  照明器具の配線
【図１】
0003134368.tif 000003
【図２】
0003134368.tif 000004
【手続補正書】
【提出日】平成19年4月26日(2007.4.26)
【手続補正１】
【補正対象書類名】実用新案登録請求の範囲
【補正対象項目名】全文
【補正方法】変更
【補正の内容】
【実用新案登録請求の範囲】
【請求項１】
照明器具に火災感知部と警報音発生器からなる住宅用火災警報器を組み込んだことを特徴とする住宅用火災警報器機能付照明器具。
【請求項２】
前記住宅用火災警報器が、照明器具本体の上面（天上側）又は照明器具の天井取り付け部に取り付けたことを特徴とする請求項１に記載の住宅用火災警報器機能付照明器具。
【請求項３】
前記住宅用火災警報器の電源が、ＡＣ電源であることを特徴とする請求項１又は請求項２に記載の住宅用火災警報器機能付照明器具。
【請求項４】
前記住宅用火災警報器の電源が、電池又は蓄電池であることを特徴とする請求項１又は請求項２に記載の住宅用火災警報器機能付照明器具。
【請求項５】
前記火災感知部が、煙、熱、炎を問わずすべての火災現象を感知することを特徴とする請求項１〜請求項４に記載の住宅用火災警報器機能付照明器具。
【手続補正書】
【提出日】平成19年5月24日(2007.5.24)
【手続補正１】
【補正対象書類名】実用新案登録請求の範囲
【補正対象項目名】全文
【補正方法】変更
【補正の内容】
【実用新案登録請求の範囲】
【請求項１】
照明器具に火災感知部と警報音発生器からなる住宅用火災警報器を組み込んだことを特徴とする住宅用火災警報器機能付照明器具。
【請求項２】
前記住宅用火災警報器が、照明器具本体の上面又は照明器具の天井取り付け部に取り付けたことを特徴とする請求項１に記載の住宅用火災警報器機能付照明器具。
【請求項３】
前記住宅用火災警報器の電源が、ＡＣ電源であることを特徴とする請求項１又は請求項２に記載の住宅用火災警報器機能付照明器具。
【請求項４】
前記住宅用火災警報器の電源が、電池又は蓄電池であることを特徴とする請求項１又は請求項２に記載の住宅用火災警報器機能付照明器具。
【請求項５】
前記火災感知部が、煙、熱、炎を問わずすべての火災現象を感知することを特徴とする請求項１〜請求項４に記載の住宅用火災警報器機能付照明器具。